(57)【要約】【課題】  本発明の目的は、純正品および適合規格品である充電器以外による充電を防止する機能を備えた携帯端末装置を提供することである。【解決手段】携帯端末装置に純正品および適合規格品以外である充電器が接続された場合においても、充電器に付加されている非接触ＩＣタグと携帯端末装置に備えられた非接触ＩＣタグリーダーとの間で無線通信を行い、充電器に取り付けられている非接触ＩＣタグの識別ＩＤが純正品および適合規格品の充電器のＩＤであると認証した場合のみに充電の開始を許可し、純正品および適合規格品以外の充電器による充電を禁止する。【選択図】  図２
2006280119.tif 000002
【特許請求の範囲】
【請求項１】
表示部と、
蓄電部と、
前記蓄電部を充電するための充電器に付加される識別ＩＤを読み取るための読み取り部と、
前記読み取り部により読み取られた前記識別ＩＤの情報と規定の情報とを照合して、前記照合の結果が一致を示す場合には、前記充電器による前記蓄電部の充電を許可し、前記照合の結果が一致を示さない場合には、前記表示部に前記充電器を使用不可とする情報を表示する制御部と
を具備する携帯端末装置。
【請求項２】
請求項１に記載の携帯端末装置において、前記読み取り部は、前記携帯端末装置が前記充電器と嵌合するための前記携帯端末装置の嵌合部に配置される
携帯端末装置。
【請求項３】
請求項１または２に記載の携帯端末装置において、
さらに、音声部を備え、
前記照合の結果が一致を示さない場合には、前記制御部は、さらに前記音声部により前記充電器を使用不可とする音声情報を生成する携帯端末装置。
【請求項４】
請求項１から３までの少なくとも一項に記載の携帯端末装置において、
さらに、振動部を備え、
前記照合の結果が一致を示さない場合には、前記制御部は、さらに前記振動部を振動させることにより、前記充電器は使用不可であることを知らせる携帯端末装置。
【請求項５】
請求項１から４までの少なくとも一項に記載の携帯端末装置において、
さらに、前記蓄電部の電圧を測定するための電圧測定回路を備え、
前記電圧測定回路により前記蓄電部の端子電圧を測定し、測定された前記端子電圧の値が規定の値以下の場合に、前記読み取り部により、前記充電器に配置される前記識別ＩＤが読み取られる携帯端末装置。
【請求項６】
請求項１から５までの少なくとも一項に記載の携帯端末装置において、
前記読み取り部は、非接触ＩＣタグリーダーである携帯端末装置。
【請求項７】
請求項１から６までの少なくとも一項に記載の携帯端末装置において、
前記識別ＩＤの情報は、前記充電器が純正品あるいは適合規格品であるかを識別するための情報を備えている携帯端末装置。
【請求項８】
請求項１から７までの少なくとも一項に記載の携帯端末装置において、
前記携帯端末装置は携帯電話である携帯端末装置。
【請求項９】
請求項１から８までの少なくとも一項に記載の携帯端末装置において、
前記読み取り部は、さらに、ＰＣと前記携帯端末装置とを接続するためのＰＣ接続ケーブルに付加される識別ＩＤを読み取る携帯端末装置。
【請求項１０】
請求項１から９までの少なくとも一項に記載の携帯端末装置において、
前記読み取り部は、さらに、前記携帯端末装置を搭載するハンズフリー装置に付加される識別ＩＤを読み取る携帯端末装置。
【請求項１１】
表示部と、蓄電部と、前記蓄電部を充電するための充電器に付加される識別ＩＤを読み取るための読み取り部と、制御部とを具備する携帯端末装置の充電方法であって、
前記識別ＩＤの情報を読み取るＩＤ情報取得ステップと、
前記ＩＤ情報取得ステップにより取得されたＩＤ情報と規定の情報とを照合するＩＤ情報照合ステップと、
前記ＩＤ情報照合ステップにおける照合結果が一致を示す場合には、前記充電器による前記蓄電部の充電を許可する充電許可ステップと、
前記照合の結果が一致を示さない場合には、前記表示部に前記充電器を使用不可とする情報を表示する充電不許可ステップと
を具備する携帯端末装置の充電方法。
【請求項１２】
請求項１１に記載の携帯端末装置の充電方法において、
前記携帯端末機器は、さらに、音声部を備え、
前記照合の結果が一致を示さない場合には、さらに、前記充電器を使用不可とする音声情報を生成する音声情報生成ステップを備える携帯端末装置の充電方法。
【請求項１３】
請求項１１または１２に記載の携帯端末装置の充電方法において、
前記携帯端末機器は、さらに、振動部を備え、
前記照合の結果が一致を示さない場合には、さらに、前記携帯端末装置を振動させることにより、前記充電器は使用不可であることを知らせる振動生成ステップを具備する携帯端末装置の充電方法。
【請求項１４】
請求項１１から１３までの少なくとも一項に記載の携帯端末装置の充電方法において、
前記携帯端末装置は、さらに、前記蓄電部の電圧を測定するための電圧測定回路を備え、
前記蓄電部の端子電圧を測定する端子電圧測定ステップと、
前記端子電圧測定ステップにより測定された前記端子電圧の値が規定の値以下の場合に、前記識別ＩＤの情報を読み取るＩＤ情報取得ステップと
を具備する携帯端末装置の充電方法。
【請求項１５】
請求項１１から１４までのいづれか一項に記載の携帯端末装置の充電方法を実現するためのコンピュータ読み込み可能な携帯端末装置の充電プログラム。
【発明の詳細な説明】
【技術分野】
【０００１】
本発明は、携帯端末装置に関し、特に純正品および適合規格品である充電器以外による充電を防止する機能を備えた携帯端末装置に関する。
【背景技術】
【０００２】
一般に、携帯端末装置の電源供給用電源として充電式電池が用いられている。通常、携帯端末装置においては、専用の充電式電池と専用の充電器とがセットで販売され、純正の充電器を使用するように取扱説明書等に注意書きが書かれている。しかし実際には、携帯端末装置に純正品以外の充電器が接続されて、充電式電池の充電が行われる場合がある。携帯端末装置の充電式電池を純正品および適合規格品以外の充電器で充電した場合には、携帯端末装置に適切な電流や電圧が供給されない場合がある。携帯端末装置に備えられている電気回路および電池は、充電時に純正の充電器から適切な電圧と電流が供給されることを想定して設計されているため、純正および適合規格品ではない充電器で充電されることにより設計外の電圧や電流が供給された場合には、充電式電池およびそれを搭載した携帯端末装置本体に誤動作が生じたり、故障につながる場合がある。このような理由から、携帯端末装置には、当該携帯端末装置に対応する純正の充電器、または規格にかなった充電器が適切に接続されることが望まれている。
【０００３】
上記技術に関連して、特開２００４−１８００３９号公報で開示されている「複線式ループアンテナ及び携帯情報端末」では、複数の内部電線を有する複芯電線と、複数の内部電線を直列に接続する接続部とを有するループアンテナが提案されている。
【０００４】
また、特開２００４−２８３９５６号公報で開示されている「充電システム、ロボット装置、充電装置、及び充電方法」では、所定の情報を記憶し、情報を無線で出力する無線タグを備える充電装置と、無線タグの信号を読み取る無線タグ読取手段と、無線タグからの信号をもとに、充電装置の位置を算出する位置算出手段と、位置算出手段による算出結果に基づいて、充電装置へ移動する移動手段とを備えるロボット装置とを備える充電システムが提案されている。
【０００５】
また、特開２００４−２８９９９５号公報で開示されている「充電装置および電子機器」では、充電される電子機器が載置されたことを検出して検出情報を出力する電子機器検出部と、電子機器に設けられた電池に電力を供給可能に構成され、電子機器が載置された状態で電子機器と電気的に接続される電力供給部と、電池ないし電子機器に設けられて、少なくとも電池の機種を特定するための機種特定情報を記憶するメモリ、このメモリから読み出したデータないしメモリへ書き込むデータを送受信するアンテナを有する無線タグとデータの送受信を行う送受信部と、電子機器検出部が出力した検出情報に基づいて電子機器が載置されていることを判断するとともに、送受信部が前記無線タグより読み出した機種特定情報に基づいて電池に対する充電を許可するか判断し、電池に対する充電を許可する場合に、電池に電力を供給するように電力供給部に通電する通電制御部とを設けた充電装置が提案されている。
【０００６】
【特許文献１】特開２００４−１８００３９号公報
【特許文献２】特開２００４−２８３９５６号公報
【特許文献３】特開２００４−２８９９９５号公報
【発明の開示】
【発明が解決しようとする課題】
【０００７】
本発明の目的は、純正品および適合規格品である充電器以外による充電を防止する機能を備えた携帯端末装置を提供することである。
【課題を解決するための手段】
【０００８】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明の携帯端末装置（２０）は、表示部（３２）と、蓄電部（３９）と、蓄電部を充電するための充電器（２２）に付加される識別ＩＤ（２３）を読み取るための読み取り部（２１）と、読み取り部により読み取られた識別ＩＤの情報（４５ａ）と規定の情報（３４ｂ）とを照合して、照合の結果が一致を示す場合には、充電器による蓄電部の充電を許可し、照合の結果が一致を示さない場合には、表示部に充電器を使用不可とする情報を表示する制御部（５０）とを備える。
【００１０】
また、本発明の携帯端末装置（２０）において、読み取り部（２１）は、携帯端末装置が充電器（２２）と嵌合するための携帯端末装置の嵌合部（３６）に配置される。
【００１１】
また、本発明の携帯端末装置（２０）は、さらに、音声部（２５）を備え、照合の結果が一致を示さない場合には、制御部（５０）は、さらに音声部により充電器（２２）を使用不可とする音声情報を生成する。
【００１２】
また、本発明の携帯端末装置（２０）は、さらに、振動部（２６）を備え、照合の結果が一致を示さない場合には、制御部（５０）は、さらに振動部を振動させることにより、充電器（２２）は使用不可であることを知らせる。
【００１３】
また、本発明の携帯端末装置（２０）は、さらに、蓄電部（３９）の電圧を測定するための電圧測定回路（３７）を備え、電圧測定回路により蓄電部の端子電圧を測定し、測定された端子電圧の値が規定の値以下の場合に、読み取り部（２１）により、充電器（２２）に配置される識別ＩＤ（２３）が読み取られる。
【００１４】
また、本発明の携帯端末装置（２０）における読み取り部は、非接触ＩＣタグリーダー（２１）である。
【００１５】
また、本発明の携帯端末装置（２０）における識別ＩＤ（２３）の情報は、充電器（２２）が純正品あるいは規格品であるかを識別するための情報を備えている。
【００１６】
また、本発明の携帯端末装置（２０）は、携帯電話である。
【００１７】
また、本発明の携帯端末装置（２０）における読み取り部（２１）は、さらに、ＰＣと携帯端末装置とを接続するためのＰＣ接続ケーブルに付加される識別ＩＤを読み取る。
【００１８】
また、本発明の携帯端末装置（２０）における読み取り部は、さらに、携帯端末装置を搭載するハンズフリー装置に付加される識別ＩＤを読み取る。
【００１９】
また、本発明の携帯端末装置の充電方法は、表示部（３２）と、蓄電部（３９）と、蓄電部を充電するための充電器（２２）に付加される識別ＩＤ（２３）を読み取るための読み取り部（２１）と、制御部（５０）とを備える携帯端末装置（２０）の充電方法であって、識別ＩＤの情報（４５ａ）を読み取るＩＤ情報取得ステップと、ＩＤ情報取得ステップにより取得されたＩＤ情報と規定の情報（３４ｂ）とを照合するＩＤ情報照合ステップと、ＩＤ情報照合ステップにおける照合結果が一致を示す場合には、充電器による蓄電部の充電を許可する充電許可ステップと、照合の結果が一致を示さない場合には、表示部に充電器を使用不可とする情報を表示する充電不許可ステップとを備える。
【００２０】
また、本発明の携帯端末装置の充電方法における携帯端末機器（２０）は、さらに、音声部（２５）を備え、照合の結果が一致を示さない場合には、さらに、充電器（２２）を使用不可とする音声情報を生成する音声情報生成ステップを備える。
【００２１】
また、本発明の携帯端末装置の充電方法における携帯端末機器（２０）は、さらに、振動部（２６）を備え、照合の結果が一致を示さない場合には、さらに、携帯端末装置を振動させることにより、充電器（２２）は使用不可であることを知らせる振動生成ステップを備える。
【００２２】
また、本発明の携帯端末装置の充電方法において、携帯端末装置（２０）は、さらに、蓄電部（３９）の電圧を測定するための電圧測定回路（３７）を備え、蓄電部の端子電圧を測定する端子電圧測定ステップと、端子電圧測定ステップにより測定された端子電圧の値が規定の値以下の場合に、識別ＩＤの情報（４５ａ）を読み取るＩＤ情報取得ステップとを備える。
【００２３】
また、本発明の携帯端末装置の充電プログラム（３４ａ）は、コンピュータ読み込み可能であり、請求項１０から１３までのいづれか一項に記載の携帯端末装置の充電方法を実現する。
【発明の効果】
【００２４】
本発明により、純正品および適合規格品である充電器以外による充電を防止する機能を備えた携帯端末装置を提供することができる。
【００２５】
これにより、携帯端末装置に純正品および適合規格品以外である充電器が接続された場合においても、充電器に付加されている非接触ＩＣタグと携帯端末装置に備えられた非接触ＩＣタグリーダーとの間で無線通信を行い、充電器に取り付けられている非接触ＩＣタグの識別ＩＤが純正品および適合規格品の充電器のＩＤであると認証した場合のみに充電の開始を許可し、純正品および適合規格品以外の充電器による充電を禁止することができる。純正品および適合規格品である充電器以外での充電を禁止することによって、充電器から携帯端末装置へ想定外の電圧や電流が供給されることによって生じる誤作動や故障を防ぐことができる。
【００２６】
また、本発明では、純正品および適合規格品の充電器であると認証する方式として非接触ＩＣタグを使用している。これにより、携帯端末装置が充電を許可する識別ＩＤが分からない限り充電許可される充電器を製造することはできない。よって、純正品および適合規格品を模倣した充電器の製造が防止され、模倣品使用により生じる携帯端末装置の誤作動や故障を未然に防止することができる。
【００２７】
また、本発明では、携帯端末装置の充電器との嵌合部に配置された非接触ＩＣタグリーダーと充電器に取り付けられている非接触ＩＣタグ２３との間における通信距離が数ｃｍである通信方式を採用している。これにより、純正あるいは適合規格品ではない充電器を携帯端末装置に接続して充電しようとした場合に、近くに純正あるいは適合規格品の充電器が置いてある場合においても、他の充電器からの電波を間違って読み取ることがなく、識別ＩＤの誤読を防止することができる。
【発明を実施するための最良の形態】
【００２８】
本発明の携帯端末装置は、携帯端末装置に純正品および適合規格品以外である充電器が接続された場合においても、携帯端末装置の充電器との嵌合部に配置される非接触ＩＣタグリーダーが、充電器に付加されている非接触ＩＣタグとの間で無線通信を行い、充電器に取り付けられている非接触ＩＣタグの識別ＩＤが純正品および適合規格品の充電器のＩＤであると認証した場合のみに充電の開始を許可し、純正品および適合規格品以外の充電器による充電を禁止する。純正品および適合規格品以外の充電器による充電を禁止することによって、携帯端末装置へ想定外の電圧や電流が供給されることによって生じる誤作動や故障を未然に防止する。
【００２９】
（実施の形態１）
図１に、本発明の実施の形態１に係わる携帯端末装置の概略構成を示す。本実施の形態の携帯端末装置２０は、ＬＣＤ等からなる表示部３２と、音声部２５と、キーボード等の入力部３３と、振動部２６と、非接触ＩＣタグリーダー２１と、制御部５０と、電池３９と、電圧測定回路３７と、充電回路３５とを備えている。そして、表示部３２と、音声部２５と、入力部３３と、振動部２６と、非接触ＩＣタグリーダー２１と、制御部５０と、電圧測定回路３７と、充電回路３５とは、それぞれシステムバス３０により接続されている。
【００３０】
制御部５０は、ＣＰＵ（中央処理装置）３１と記憶部３４とを備えている。記憶部３４には、予め、電池３９を一定の規定により充電するための電池充電プログラム３４ａと、当該電池３９を充電することのできる充電器に関する情報である充電器規格情報３４ｂとを有している。制御部５０は、非接触ＩＣタグリーダー２１により読み取られる、充電器２２に付加されている非接触ＩＣタグ２３の識別ＩＤ４５ａの情報と充電器規格情報３４ｂとを照合する。そして、照合の結果が一致を示す場合には、当該充電器による電池３９の充電を許可し、照合の結果が一致を示さない場合には、表示部３２に当該充電器を使用不可とする情報を表示する。また、当該充電器を使用不可とする情報は、必要に応じて音声部２５および振動部２６を介して使用者に知らされる。
【００３１】
充電回路３５は、充電端子３６を介して供給される電力を規定条件の電流および電圧値に変換して、電池端子３８に接続される電池３９を充電する。充電端子３６は、充電時に充電器側の端子と嵌合することにより、充電器からの電力を充電回路３５に供給する。電圧測定回路３７は、電池端子３８の電圧を測定することにより、電池３９の電圧状態を確認する。電圧測定回路３７で測定された電池３９の電圧は、充電開始及び終了の判断基準に使用される。また、充電時における充電回路３５の動作状況も逐次適正状態であるか制御部５０により確認される。
【００３２】
図２に、本発明の実施の形態に係わる携帯端末装置２０に備わる非接触ＩＣタグリーダー２１により、充電器２２に付加される非接触ＩＣタグ２３を確認する模式を示す。充電器２２に付加されている非接触ＩＣタグ２３には、当該充電器２２の識別情報である識別ＩＤが格納されている。携帯端末２０の充電端子３６に充電器２２が接続され、充電動作を開始する前に、非接触ＩＣタグリーダー２１が非接触ＩＣタグ２３に格納されている識別ＩＤを読み取り、その結果純正または適合規格の充電器ＩＤであると認証された場合のみ、充電動作が開始される。そして、充電動作の開始に基づいて、充電器２２からの電力が、充電端子３６を介して充電回路３５に供給される。充電回路３５に供給された電力は、充電回路３５により規定された電圧および電池に変換されて、電池端子３８を介して電池３９に供給されて充電される。
【００３３】
図３に、本実施の形態に係わる携帯端末装置２０の充電端子３６に配置される非接触ＩＣタグリーダー２１と、充電器２２に付加される非接触ＩＣタグ２３の概略構成を示す。非接触ＩＣタグリーダー２１は、リーダー制御部４０と、リーダー側送受信部４１と、リーダー側アンテナ部４２とを備えている。非接触ＩＣタグ２３は、タグ側アンテナ部４３と、タグ側送受信部４４と、タグ側メモリ４５とを備えている。
【００３４】
リーダー側アンテナ部４２及びタグ側アンテナ部４３はコイルからなり、２つのコイルの誘導磁束による誘起電圧を信号とすることにより、非接触ＩＣタグリーダー２１と非接触ＩＣタグ２３との間における無線通信が行われる。リーダー側送受信部４１及びタグ側送受信部４４では、デジタル信号とキャリア信号の変調および復調が行われる。
【００３５】
これにより、リーダー側アンテナ部４２とタグ側アンテナ部との間で送受信されるデータ信号のデータ通信が可能となる。リーダー制御部４０では、リーダー側アンテナ部４２のコイルに流す電流電圧を制御することにより、非接触ＩＣタグリーダー２１と非接触ＩＣタグ２３との間における無線通信を制御する。タグ側メモリ４５には、識別ＩＤ４５ａが格納されている。無線通信データとして、識別ＩＤ４５ａを非接触ＩＣタグ２３と非接触ＩＣタグリーダー２１との間で送受信することによって、本実施の形態に係わる携帯端末装置２０による充電器２２のＩＤの認証が実施される。
【００３６】
（実施の形態１における動作原理）
本実施の形態における動作原理を、図４に基づいて説明する。本実施の形態に係わる携帯端末２０の入力部３３から起動の指示が入力されると、制御部５０のＣＰＵ３１は、記憶部３４に格納されている電池充電プログラム３４ａを読み込んで実行する。電池充電プログラム３４ａが実行されると、携帯端末２０の充電端子３６に充電器２２が装着されたとき、または、既に充電器２２が装着されているが一度充電を完了して現在は充電をしていない状態において規定時間毎に、電圧測定回路３７により電池電圧が測定される（ステップＳ５１）。ステップＳ５１による電池電圧測定の結果、電池電圧が規定の電圧よりも低く、充電が必要であると判定された場合（ステップＳ５２：Ｙｅｓ）には、制御部５０の指示に基づいて、非接触ＩＣタグリーダー２１のリーダー制御部４０は、充電器２２に付加されている非接触ＩＣタグ２３との無線通信を開始する（ステップＳ５３）。ステップＳ５３による無線通信の結果、非接触ＩＣタグ２３から読み出した識別ＩＤ４５ａが純正あるいは適合規格品の充電器のＩＤ情報を有すると認証された場合には（ステップＳ５４：Ｙｅｓ）、充電回路３５に対して充電を許可し（ステップＳ５５）、電池３９の充電が開始される（ステップＳ５６）。一方、非接触ＩＣタグリーダー２１のリーダー制御部４０が無線通信を開始しても、非接触ＩＣタグ２３からの応答がなかった場合、もしくは応答があったが読み出した識別ＩＤ４５ａが純正あるいは適合規格品に対応した充電器のＩＤ情報を有しなかった場合には（ステップＳ５４：ＮＯ）、充電回路３５に対して電池３９の充電を許可しない。そして、表示部３２に「純正の充電器以外では充電できません。純正の充電器で充電して下さい。」等の表示をすることによって、携帯端末装置２０の使用者に純正の充電器以外では充電できないことを知らせ、純正の充電器で充電するように促す（ステップＳ５７）。
【００３７】
本実施の形態においては、ステップＳ５７において、純正の充電器で充電するように促すのに、表示部３２による文字表示の他に、入力部３３からの使用者による設定に応じて、音声部２５からの音声、または、振動部２６による携帯端末装置２０の振動によって不許可状況を使用者に知らせることが可能である。
【００３８】
本実施の形態においては、通信距離が数ｃｍである非接触ＩＣタグ２３を用いた無線通信方式を使用している。つまり、携帯端末２０と充電器２２が装着された状態のときに非接触ＩＣタグ２３と非接触ＩＣタグリーダー２１との間で無線通信が行える距離であれば良い。通信距離が離れている通信方式を採用すると、純正あるいは適合規格品ではない充電器を携帯端末装置２０に接続して充電しようとした場合に、近くに純正あるいは適合規格品の充電器が置いてあれば、携帯端末装置２０に接続されていない純正の充電器の非接触ＩＣタグ２３の識別ＩＤ４５ａを認証して、充電回路３５に対して充電開始を許可してしまうことになる。よって、本実施の形態においては、通信距離が数ｃｍである通信方式を採用する。
【００３９】
本実施の形態においては、携帯端末装置２０に純正品および適合規格品以外である充電器２２が接続された場合においても、充電器２２に付加されている非接触ＩＣタグ２３と携帯端末装置２０に備えられた非接触ＩＣタグリーダー２１との間で無線通信を行い、充電器２２に取り付けられている非接触ＩＣタグ２３の識別ＩＤ４５ａが純正品および適合規格品の充電器のＩＤであると認証した場合のみに充電の開始を許可し、純正品および適合規格品以外の充電器による充電を禁止する。純正品および適合規格品以外の充電器による充電を禁止することによって、携帯端末装置２０へ想定外の電圧や電流が供給されることによって生じる誤作動や故障を未然に防止する。また、本実施の形態においては、非接触ＩＣタグ２３を使用して、純正あるいは適合規格品の充電器であると認証する方式を採用している。このため、携帯端末装置２０が、充電回路３５に対して充電を許可する識別ＩＤが分からない限り充電許可される充電器を作成することはできない。よって純正あるいは適合規格品以外の充電器による充電を防止できる。さらに、本実施の形態においては、携帯端末装置２０の充電器２２との嵌合部に備えられた非接触ＩＣタグリーダー２１と充電器２２に取り付けられている非接触ＩＣタグ２３との間における通信距離が数ｃｍである通信方式を採用している。これにより、純正あるいは適合規格品ではない充電器を携帯端末装置２０に接続して充電しようとした場合に、近くに純正あるいは適合規格品の充電器が置いてある場合においても、他の充電器からの電波を間違って読み取ることがなく、識別ＩＤ４５ａの誤読を防止することができる。
【００４０】
以上により、本実施の形態においては、非常に信頼性および安全性の高い携帯端末装置２０を実現することができる。
【００４１】
（実施の形態２）
図５に、本発明の実施の形態２に係わる携帯端末装置の概略構成を示す。本実施の形態に係わる携帯端末装置６０の構成要件およびその動作原理は、実施の形態１におけるそれぞれと基本的に同様である。但し、本実施の形態に備わる非接触ＩＣタグリーダー２１は、充電器２２に付加される非接触ＩＣタグ２３との間で通信を行うことにより当該充電器による充電を許可するか否かを判断するのではなく、本実施の形態に係わる携帯端末装置６０とＰＣとの間で通信を行うために接続されるＰＣ接続ケーブルに付加される非接触ＩＣタグ２３との間で無線通信を行うことにより、当該ＰＣ接続ケーブルによる携帯端末装置６０とＰＣとの通信を許可するか否かを判断する。このため、本実施の形態においては、ＰＣ接続ケーブルを接続するための外部接続端子９０と、ＰＣ接続ケーブルを介してＰＣとの通信の制御を行う通信制御部８０とを備えている。また、記憶部３４は、ＰＣ接続ケーブルを介してＰＣとの通信制御を行うためのＰＣケーブル接続プログラム３４ｃと、ＰＣケーブル規格情報３４ｄとを備えている。
【００４２】
なお、本実施の形態には、必要に応じて実施の形態１の構成要件が同時備えられても良い。
【００４３】
（実施の形態２における動作原理）
本実施の形態における動作原理を、図６に基づいて説明する。本実施の形態に係わる携帯端末の入力部３３から起動の指示が入力されると、制御部５０のＣＰＵ３１は、記憶部３４に格納されているＰＣケーブル接続プログラム３４ｃを読み込んで実行する。ＰＣケーブル接続プログラム３４ｃが実行されて、携帯端末装置６０の外部接続端子９０にＰＣ接続ケーブルが装着されると（ステップＳ６０）、制御部５０の指示に基づいて、非接触ＩＣタグリーダー２１のリーダー制御部４０は、ＰＣ接続ケーブルに付加されている非接触ＩＣタグ２３との無線通信を開始する（ステップＳ６１）。ステップＳ６１による無線通信の結果、非接触ＩＣタグ２３から読み出した識別ＩＤ４５ａが純正あるいは適合規格品のＰＣ接続ケーブルのＩＤ情報を有すると認証された場合には（ステップＳ６２：Ｙｅｓ）、通信制御部８０に対してＰＣ接続ケーブルとの通信を許可（ステップＳ６３）し、ＰＣ接続ケーブルを介したＰＣとの通信が開始される。一方、非接触ＩＣタグリーダー２１のリーダー制御部４０が無線通信を開始しても、非接触ＩＣタグ２３からの応答がなかった場合、もしくは応答があったが読み出した識別ＩＤ４５ａが純正あるいは適合規格品に対応したＰＣ接続ケーブルのＩＤ情報を有しなかった場合には（ステップ６２：ＮＯ）、通信制御部８０に対して、ＰＣ接続ケーブルとの通信を許可しない。そして、表示部３２に「純正のＰＣ接続ケーブル以外による通信はできません。純正のＰＣ接続ケーブルを接続して下さい。」等の表示をすることによって、携帯端末装置６０の使用者に純正のＰＣ接続ケーブル以外ではＰＣとの通信ができないことを知らせ、純正のＰＣ接続ケーブルを接続するように促す（ステップＳ６４）。
【００４４】
本実施の形態においては、ステップＳ６４において、純正のＰＣ接続ケーブルを接続して通信を行うように促すのに、表示部３２による文字表示の他に、入力部３３からの使用者による設定に応じて、音声部２５からの音声、または、振動部２６による携帯端末装置６０の振動によって不許可状況を使用者に知らせることが可能である。
【００４５】
本実施の形態においては、通信距離が数ｃｍである非接触ＩＣタグ２３を用いた無線通信方式を使用している。つまり、携帯端末装置６０とＰＣ接続ケーブルとが接続された状態のときに非接触ＩＣタグ２３と非接触ＩＣタグリーダー２１との間で無線通信が行える距離であれば良い。通信距離が離れている通信方式を採用すると、純正あるいは適合規格品ではないＰＣ接続ケーブルを携帯端末装置６０に接続してＰＣと通信しようとした場合に、近くに純正あるいは適合規格品のＰＣ接続ケーブルが置いてあれば、携帯端末装置６０に接続されていない純正のＰＣ接続ケーブルの非接触ＩＣタグ２３の識別ＩＤ４５ａを認証して、通信制御部８０に対してＰＣ接続ケーブルとの通信を許可してしまうことになる。よって、本実施の形態においては、通信距離が数ｃｍである通信方式を採用する。
【００４６】
本実施の形態においては、携帯端末装置６０に純正品および適合規格品以外であるＰＣ接続ケーブルが接続された場合においても、ＰＣ接続ケーブルに付加されている非接触ＩＣタグ２３と携帯端末装置６０に備えられた非接触ＩＣタグリーダー２１との間で無線通信を行い、ＰＣ接続ケーブルに取り付けられている非接触ＩＣタグ２３の識別ＩＤ４５ａが純正品および適合規格品のＰＣ接続ケーブルのＩＤであると認証した場合にのみＰＣとの通信を許可し、純正品および適合規格品以外のＰＣ接続ケーブルによるＰＣとの通信を禁止する。純正品および適合規格品以外のＰＣ接続ケーブルによる通信を禁止することによって、携帯端末装置６０とＰＣ接続ケーブルとの間におけるインピーダンスのミスマッチにより生じる、通信データの破損や、携帯端末装置６０本体の電気部品に与える損傷を未然に防止する。また、本実施の形態においては、携帯端末装置６０の外部接続端子９０との嵌合部に備えられた非接触ＩＣタグリーダー２１とＰＣ接続ケーブルに取り付けられている非接触ＩＣタグ２３との間における通信距離が数ｃｍである通信方式を採用している。これにより、純正あるいは適合規格品ではないＰＣ接続ケーブルを携帯端末装置６０に接続してＰＣとの通信を実行しようとした場合に、近くに純正あるいは適合規格品のＰＣ接続ケーブルが置いてある場合においても、他のＰＣ接続ケーブルからの電波を間違って読み取ることがなく、識別ＩＤ４５ａの誤読を防止することができる。
【００４７】
以上により、本実施の形態においては、非常に信頼性および安全性の高い携帯端末装置６０を実現することができる。
【００４８】
（実施の形態３）
図７に、本発明の実施の形態３に係わる携帯端末装置の概略構成を示す。本実施の形態に係わる携帯端末装置７０の構成要件およびその動作原理は、実施の形態１または２におけるそれぞれと基本的に同様である。但し、本実施の形態に備わる非接触ＩＣタグリーダー２１は、充電器２２またはＰＣ接続ケーブルに付加される非接触ＩＣタグ２３との間で通信を行うことにより、当該充電器による充電、あるいは、通信制御部８０によるＰＣ接続ケーブルを介したＰＣとの通信を許可するか否かを判断するのではなく、本実施の形態に係わる携帯端末装置７０に接続されるハンズフリー装置に付加される非接触ＩＣタグ２３との間で無線通信を行うことにより、携帯端末装置と当該ハンズフリー装置との通信を許可するか否かを判断する。
【００４９】
このため、本実施の形態においては、ハンズフリー装置を接続するための外部接続端子９０と、ハンズフリー装置との通信の制御を行う通信制御部８０とを備えている。また、記憶部３４には、予めハンズフリー装置との通信制御を行うためのハンズフリー装置接続プログラム３４ｅと、ハンズフリー装置規格情報３４ｆとが格納されている。
【００５０】
なお、本実施の形態には、実施の形態１および２の構成要件が、それぞれ必要に応じて備えられても良い。
【００５１】
（実施の形態３における動作原理）
本実施の形態における動作原理を、図８に基づいて説明する。本実施の形態に係わる携帯端末の入力部３３から起動の指示が入力されると、制御部５０のＣＰＵ３１は、記憶部３４に格納されているハンズフリー装置接続プログラム３４ｅを読み込んで実行する。ハンズフリー装置接続プログラム３４ｅが実行されると、携帯端末装置７０の外部接続端子９０にハンズフリー装置が装着されると（ステップＳ７０）、制御部５０の指示に基づいて、非接触ＩＣタグリーダー２１のリーダー制御部４０は、ハンズフリー装置に付加されている非接触ＩＣタグ２３との無線通信を開始する（ステップＳ７１）。ステップＳ７１による無線通信の結果、非接触ＩＣタグ２３から読み出した識別ＩＤ４５ａが純正あるいは適合規格品のハンズフリー装置のＩＤ情報を有すると認証された場合には（ステップＳ７２：Ｙｅｓ）、通信制御部８０に対してハンズフリー装置との通信を許可（ステップＳ７３）し、ハンズフリー装置との通信が開始される。一方、非接触ＩＣタグリーダー２１のリーダー制御部４０が無線通信を開始しても、非接触ＩＣタグ２３からの応答がなかった場合、もしくは応答があったが読み出した識別ＩＤ４５ａが純正あるいは適合規格品に対応したハンズフリー装置のＩＤ情報を有しなかった場合には（ステップ７２：ＮＯ）、通信制御部８０に対して、ハンズフリー装置との通信を許可しない。そして、表示部３２に「純正のハンズフリー装置以外による通信はできません。純正のハンズフリー装置を接続して下さい。」等の表示をすることによって、携帯端末装置７０の使用者に純正のハンズフリー装置以外との通信ができないことを知らせ、純正のハンズフリー装置を接続するように促す（ステップＳ７４）。
【００５２】
本実施の形態においては、ステップＳ７４において、純正のハンズフリー装置を接続して通信を行うように促すのに、表示部３２による文字表示の他に、入力部３３からの使用者による設定に応じて、音声部２５からの音声、または、振動部２６による携帯端末装置７０の振動によって不許可状況を使用者に知らせることが可能である。
【００５３】
本実施の形態においては、通信距離が数ｃｍである非接触ＩＣタグ２３を用いた無線通信方式を使用している。つまり、携帯端末２０とハンズフリー装置とが接続された状態のときに非接触ＩＣタグ２３と非接触ＩＣタグリーダー２１との間で無線通信が行える距離であれば良い。通信距離が離れている通信方式を採用すると、純正あるいは適合規格品ではないハンズフリー装置を携帯端末装置７０に接続して通信しようとした場合に、近くに純正あるいは適合規格品のハンズフリー装置が置いてあれば、携帯端末装置７０に接続されていない純正のハンズフリー装置の非接触ＩＣタグ２３の識別ＩＤ４５ａを認証して、通信制御部８０に対してハンズフリー装置との通信を許可してしまうことになる。よって、本実施の形態においては、通信距離が数ｃｍである通信方式を採用する。
【００５４】
本実施の形態においては、携帯端末装置７０に純正品および適合規格品以外であるハンズフリー装置が接続された場合においても、ハンズフリー装置に付加されている非接触ＩＣタグ２３と携帯端末装置７０に備えられた非接触ＩＣタグリーダー２１との間で無線通信を行い、ハンズフリー装置に取り付けられている非接触ＩＣタグ２３の識別ＩＤ４５ａが純正品および適合規格品のハンズフリー装置のＩＤであると認証した場合のみにハンズフリー装置との通信を許可し、純正品および適合規格品以外のハンズフリー装置との通信を禁止する。純正品および適合規格品以外のハンズフリー装置との通信を禁止することによって、携帯端末装置７０とハンズフリー装置との間におけるインピーダンスのミスマッチや、ピン配列等の違いにより生じる通信データの破損や、携帯端末装置本体に与える損傷を未然に防止する。また、本実施の形態においては、携帯端末装置７０の外部接続端子９０との嵌合部に備えられた非接触ＩＣタグリーダー２１とハンズフリー装置に取り付けられている非接触ＩＣタグ２３との間における通信距離が数ｃｍである通信方式を採用している。これにより、純正あるいは適合規格品ではないハンズフリー装置を携帯端末装置７０に接続して通信を行おうとした場合に、近くに純正あるいは適合規格品のハンズフリー装置が置いてある場合においても、他のハンズフリー装置からの電波を間違って読み取ることがなく、識別ＩＤ４５ａの誤読を防止することができる。
【００５５】
以上により、本実施の形態においては、非常に信頼性および安全性の高い携帯端末装置７０を実現することができる。
【図面の簡単な説明】
【００５６】
【図１】本発明の実施の形態１に係わる携帯端末装置の概略構成を示す図である。
【図２】本発明の実施の形態１に係わる携帯端末装置により充電器に付加されるＩＤを確認する模式を示す図である。
【図３】本発明の実施の形態１に係わる携帯端末装置に備わる非接触ＩＣタグリーダーと、充電器に付加される非接触ＩＣタグとの通信形態を示す図である。
【図４】本発明の実施の形態１に係わる携帯端末装置の動作フローを示す図である。
【図５】本発明の実施の形態２に係わる携帯端末装置の概略構成を示す図である。
【図６】本発明の実施の形態２に係わる携帯端末装置の動作フローを示す図である。
【図７】本発明の実施の形態３に係わる携帯端末装置の概略構成を示す図である。
【図８】本発明の実施の形態３に係わる携帯端末装置の動作フローを示す図である。
【符号の説明】
【００５７】
２０、６０、７０…携帯端末装置
２１…非接触ＩＣタグリーダー
２２…充電器
２３…非接触ＩＣタグ
２５…音声部
２６…振動部
３０…システムバス
３１…ＣＰＵ
３２…表示部
３３…入力部
３４…記憶部
３４ａ…電池充電プログラム
３４ｂ…充電器規格情報
３４ｃ…ＰＣケーブル接続プログラム
３４ｄ…ＰＣケーブル規格情報
３４ｅ…ハンズフリー接続プログラム
３４ｆ…ハンズフリー規格情報
３５…充電回路
３６…充電端子
３７…電圧測定回路
３８…電池端子
３９…電池
４０…リーダー制御部
４１…リーダー側送受信部
４２…リーダー側アンテナ
４３…タグ側アンテナ
４４…タグ側送受信部
４５…タグ側メモリ
４５ａ…識別ＩＤ
５０…制御部
８０…通信制御部
９０…外部接続端子
【図１】
2006280119.tif 000003
【図２】
2006280119.tif 000004
【図３】
2006280119.tif 000005
【図４】
2006280119.tif 000006
【図５】
2006280119.tif 000007
【図６】
2006280119.tif 000008
【図７】
2006280119.tif 000009
【図８】
2006280119.tif 000010